【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
装置が把持されている点の空でない集合を特定するステップであり、前記装置が、タッチセンシティブまたはホバーセンシティブディスプレイを備えた構成の携帯型デバイスであるステップと、
前記点の集合に基づいて把持の状況を決定するステップと、
前記点の集合および前記把持の状況に少なくとも部分的には基づいて、前記装置の動作または外観を制御するステップとを含み、
前記ディスプレイの動作または外観を制御するステップが、前記ディスプレイの一部分の感度を変更するステップを含む、方法。
【請求項２】
前記ディスプレイの一部分の感度を変更するステップが、前記ディスプレイのユーザの手のひらに関連する領域を感度低下させるステップを含む、請求項１に記載の方法。
【請求項３】
前記把持の状況が、前記装置が右手に把持されているか、左手に把持されているか、左手および右手で把持されているか、または手で把持されていないかを特定する、請求項１に記載の方法。
【請求項４】
前記把持の状況が、前記装置が、縦向き配向で把持されているか、横向き配向で把持されているかを特定する、請求項３に記載の方法。
【請求項５】
前記点の集合が、前記ディスプレイによって提供される第１の情報から特定される、または複数のタッチセンサによって提供される第２の情報から特定され、前記複数のタッチセンサが、前記装置の前部、側部または背部に位置し、前記タッチセンサが、前記ディスプレイの一部ではない、請求項４に記載の方法。
【請求項６】
前記第１の情報が、タッチ位置、タッチ持続時間、またはタッチ圧力を含む、請求項５に記載の方法。
【請求項７】
前記第１の情報が、前記点の集合のうち、指、親指、手のひら、または表面と関連付けられた要素を特定する、請求項６に記載の方法。
【請求項８】
前記ディスプレイの動作または外観を制御するステップが、前記ディスプレイ上に表示されるユーザインタフェース要素の位置を操作するステップ、前記ユーザインタフェース要素の色を操作するステップ、前記ユーザインタフェース要素のサイズを操作するステップ、前記ユーザインタフェース要素の形状を操作するステップ、前記ユーザインタフェース要素の感度を操作するステップ、前記ディスプレイが情報を縦向き配向で提示するか横向き配向で提示するかを制御するステップを含む、請求項７に記載の方法。
【請求項９】
前記装置の動作を制御するステップが、前記点の集合および前記把持の状況に少なくとも部分的には基づいて、前記装置上の物理制御装置の動作を制御するステップを含み、前記物理制御装置が、前記ディスプレイの一部ではない、請求項１に記載の方法。
【請求項１０】
前記装置上のタッチセンシティブ入力領域上で実行されるアクションを検出するステップであり、前記アクションが、タップ、マルチタップ、スワイプ、または握り締めであり、前記タッチセンシティブ入力領域が、前記ディスプレイの一部ではないステップと、
前記アクションを特徴付けして、前記アクションの持続時間、前記アクションの位置、前記アクションの圧力、または前記アクションの方向を記述する特徴データを生成するステップと、
前記アクションまたは前記特徴データに少なくとも部分的には基づいて前記装置を選択的に制御するステップとを含む、請求項４に記載の方法。
【請求項１１】
前記装置を選択的に制御するステップが、前記ディスプレイの外観を制御するステップ、前記ディスプレイの動作を制御するステップ、前記タッチセンシティブ入力領域の動作を制御するステップ、前記装置上で動作しているアプリケーションを制御するステップ、前記アプリケーションの制御イベントを生成するステップ、または前記装置の構成要素を制御するステップを含む、請求項１０に記載の方法。
【請求項１２】
前記点の集合のうちの少なくとも２つの要素に関連するタッチ圧力に少なくとも部分的には基づいて、前記装置を握り締めている握り締め圧力を検出するステップと、
前記握り締め圧力に少なくとも部分的には基づいて、前記装置を、
電話呼に選択的に応答する、
前記装置の音量を選択的に調節する、
前記ディスプレイの輝度を選択的に調節する、または
前記装置上でプレイされているビデオゲームの効果の強度を選択的に制御するように制御するステップとを含む、請求項６に記載の方法。
【請求項１３】
前記装置上のタッチセンシティブ入力領域上で部分的に実行され、前記ディスプレイ上で部分的に実行されるアクションを検出するステップであり、前記タッチセンシティブ入力領域が前記ディスプレイの一部ではないステップと、
前記アクションを特徴付けして、前記アクションの持続時間、前記アクションの位置、前記アクションの圧力、または前記アクションの方向を記述する特徴データを生成するステップと、
前記アクションまたは前記特徴データに少なくとも部分的には基づいて前記装置を選択的に制御するステップとを含む、請求項１に記載の方法。
【請求項１４】
装置であって、
プロセッサと、
前記装置が保持されている第１の点を検出するホバーセンシティブ入出力インタフェースと、
前記装置が保持されている第２の点を検出するタッチインタフェースであり、前記ホバーセンシティブ入出力インタフェース以外の位置におけるタッチを検出するように構成されたタッチインタフェースと、
メモリと、
前記装置がどのように保持されているかを判定してそれに応答する論理のセットと、
前記プロセッサ、前記ホバーセンシティブ入出力インタフェース、前記タッチインタフェース、前記メモリ、および前記論理のセットを接続するインタフェースとを備え、
前記論理のセットが、
前記ホバーセンシティブ入出力インタフェースによって生成される第１の保持イベントを処理する第１の論理と、
前記タッチインタフェースによって生成される第２の保持イベントを処理する第２の論理と、
前記第１の点、前記第１の保持イベント、前記第２の点、または前記第２の保持イベントに少なくとも部分的には基づいて前記装置の保持パラメータを決定し、ここで、前記保持パラメータは、前記装置が右手把持で保持されているか、左手把持で保持されているか、両手把持で保持されているか、手を使わない把持で保持されているかを特定し、また、前記保持パラメータは、前記装置の縁部を、前記装置の現在の上縁部として識別し、
前記保持パラメータに少なくとも部分的には基づいて制御イベントを生成し、ここで、前記制御イベントは、前記ホバーセンシティブ入出力インタフェースの性質を制御し、前記ホバーセンシティブ入出力インタフェースの性質を制御するステップは、前記ホバーセンシティブ入出力インタフェースの一部分の感度を変更するステップを含む、
第３の論理とを含む、装置。
【請求項１５】
前記ホバーセンシティブ入出力インタフェースの一部分の感度を変更するステップが、前記ホバーセンシティブ入出力インタフェースの、ユーザの手のひらに関連する領域を感度低下させるステップを含む、請求項１４に記載の装置。
【請求項１６】
第４の論理を含み、
前記第１の論理が、ホバー制御イベントを処理し、
前記第２の論理が、タッチ制御イベントを処理し、
前記第４の論理が、前記ホバー制御イベントまたは前記タッチ制御イベントに少なくとも部分的には基づいて再構成イベントを生成し、前記再構成イベントが、前記ホバーセンシティブ入出力インタフェースの前記性質、前記タッチインタフェースの性質、または前記装置の性質を操作する、請求項１４に記載の装置。